(57)【特許請求の範囲】
【請求項１】
撹拌処理すべき被処理物を収納する収納容器が一定の運動を与えられて被処理物の撹拌作用をなす撹拌装置に備えられて、前記収納容器の蓋体を密閉状に閉止固定する収納容器密閉装置であって、
開口が蓋体により密閉状に閉止される筒形容器の形態とされた収納容器を、この収納容器の軸線方向へ取り外し可能に嵌装支持する構造を備える容器受けと、
この容器受けに嵌装支持された前記収納容器の蓋体を閉止固定する閉止部材と、
前記容器受けに設けられ、前記閉止部材の閉止固定動作によりこの閉止部材を前記容器受けに一体的に係合固定する係合固定手段とを備えてなり、
前記閉止部材は、前記容器受けに橋絡状に位置決め係合する長尺な棒状体の形態とされるとともに、その長手方向中央部に螺進退可能に設けられ、前記収納容器の蓋体に当接係合可能な締付けボルト部材を備えてなり、
前記係合固定手段は、前記容器受けの開口端部に一対の係合支持部が対向して設けられ、
これら両係合支持部の一方の係合支持部に、前記閉止部材の一方の係合端部を挿通係合する係合孔が設けられるとともに、他方の係合支持部に、前記閉止部材の他方の係合端部を挿通係合する係合孔が設けられ、
前記他方の係合支持部は、その外側部に、仮止め部材が外方へ揺動可能に枢着されるとともに、この仮止め部材は、弾発部材により前記他方の係合支持部の外側面に向けて内方へ常時弾発付勢され、
前記他方の係合支持部に係合凹部が設けられ、この係合凹部と前記仮止め部材に設けられた係合孔部は、前記仮止め部材が前記係合支持部の外側面に当接係合した状態において、重合一致して前記係合孔を形成するように位置決め設定されている
ことを特徴とする撹拌装置の収納容器密閉装置。
【請求項２】
前記収納容器が前記容器受けに嵌装支持された状態において、前記閉止部材の両端部位の係合端部が前記係合固定手段の係合孔にそれぞれ挿通係合した状態で、前記締付けボルト部材を締付け回転操作することにより、前記閉止部材と蓋体が互いに離れる方向へ押されて共締め状態となり、前記蓋体が収納容器に緊密に施蓋されると同時に、収納容器が前記収納容器受けに締付け固定される
ことを特徴とする請求項１に記載の撹拌装置の収納容器密閉装置。
【請求項３】
前記閉止部材は長尺な直線棒状体の形態とされるとともに、その両端部位に前記容器受けに位置決め係合する係合端部を備え、
これら係合端部は、前記係合固定手段の係合孔に挿通係合する際に、その位置決め部が前記容器受けの内側面に当接係合可能とされて、前記閉止部材の容器受けに対する長手方向位置を位置決めするように配置設定されている
ことを特徴とする請求項１または２に記載の撹拌装置の収納容器密閉装置。
【請求項４】
前記仮止め部材の先端部は、外方へ所定の角度をもって傾斜された揺動操作部とされている
ことを特徴とする請求項１に記載の撹拌装置の収納容器密閉装置。
【請求項５】
前記揺動操作部は、その内側面が前記閉止部材の一方の係合端部の操作案内面として作用するように構成されている
ことを特徴とする請求項４に記載の撹拌装置の収納容器密閉装置。
【請求項６】
撹拌処理すべき被処理物を収納する収納部が一定の運動を与えられて被処理物の撹拌作用をなす撹拌装置において、前記収納部を構成して、被処理物を密封状態で収納する密閉収納装置であって、
開口が蓋体により密閉状に閉止される筒形容器の形態とされた収納容器と、
この収納容器の蓋体を密閉状に閉止固定する収納容器密閉手段とを備えてなり、
この収納容器密閉手段は、請求項１から５のいずれか一つに記載の収納容器密閉装置から構成されている
ことを特徴とする撹拌装置の密閉収納装置。
【請求項７】
被処理物が収納された収納部が水平方向に公転することにより、収納部内の被処理物に遠心力が与えられて、この被処理物が攪拌処理される撹拌装置であって、
垂直な公転軸に対して、前記収納部がその軸線を傾斜した状態で設けられ、
前記収納部は、前記公転軸まわりに公転されるとともに、この公転軸に平行な垂直軸まわりに公転速度よりも大幅に減速されたゆっくりした自転速度で自転または停止する構成とされてなり、
前記収納部は請求項６に記載の密閉収納装置から構成されている
ことを特徴とする撹拌装置。
【請求項８】
前記収納部に被処理物として多数の工作物と研磨材が充填収容されて、この収納部が水平方向に公転することにより、収納部内の工作物と研磨材に遠心力が与えられて、これら工作物と研磨材の擦れ合いにより工作物を研磨する構成を備えた遠心バレル形式のバレル研磨機である
ことを特徴とする請求項７に記載の撹拌装置。
【請求項９】
前記収納部に被処理物として複数種類の液体、液体と粉末、あるいはこれらの混合物からなる被処理液体が充填収容されて、この収納部が水平方向に公転することにより、収納部内の被処理液体に遠心力が与えられて、この被処理液体中に混入している気泡を脱泡しながら被処理液体を攪拌処理する構成を備えた液体攪拌装置である
ことを特徴とする請求項７に記載の撹拌装置。
【発明の詳細な説明】
【技術分野】
【０００１】
本発明は撹拌装置の収納容器密閉装置、密閉収納装置および撹拌装置に関し、さらに詳細には、各種撹拌処理すべき固体、液体、粉体あるいはこれらの混合物等の被処理物を収納する収納容器が一定の運動を与えられて被処理物の撹拌作用をなす撹拌装置において、収納容器を密閉する密閉技術に関する。
【背景技術】
【０００２】
この種の撹拌装置としては、各種工作物の中間および／または最終仕上げ工程において、これら工作物のバリ取り、平滑仕上げ、鏡面仕上げあるいはＲ付け等の目的で採用されるバレル研磨機（例えば特許文献１参照）、あるいは、複数種類の液体、液体と粉末、あるいはこれらの混合物について攪拌処理する液体撹拌装置（例えば特許文献２参照）などが代表的なものとして挙げられる。
【０００３】
これら撹拌装置においては、特に、被処理物である工作物と研磨材（バレル研磨機）あるいは被処理液体（液体撹拌装置）を収納容器に充填収納して、この収納容器を公転させることにより、あるいはさらにこの公転に加えて収納容器を自転させることにより、収納容器内の被処理物に遠心力を与えて、この被処理物を攪拌処理する方式のものが撹拌効率の良いことで知られている。
【０００４】
ところで、この種の撹拌装置においては、収納容器が蓋体により開閉可能に密閉される構造（例えば特許文献１参照）、あるいは収納容器の支持姿勢が撹拌作用による被処理物の動きを考慮した構造（例えば特許文献２、３参照）が採用されて、上記収納容器内の被処理物が撹拌作用により収納容器から外部へ脱漏しないように工夫されている。
【０００５】
しかしながら、前者の収納容器が蓋体により開閉可能に密閉される構造にあっては、密閉状態を保持するという目的から、蓋体の開閉着脱作業が面倒で多大な時間と労力を要するという問題があり、一方、後者の収納容器の支持姿勢が撹拌作用による被処理物の動きを考慮した構造にあっては、収納容器が開放状態にあるから、自ずと収納容器の回動速度（公転速度、自転速度）にも限界があり、撹拌効率の低下を招くといった問題があった。
【先行技術文献】
【特許文献】
【０００６】
【特許文献１】特開２００９−１１９５８８号公報
【特許文献２】特開平６−７１１１０号公報
【特許文献３】実開平２−１４５９５５号公報
【発明の概要】
【発明が解決しようとする課題】
【０００７】
本発明は、かかる従来の問題点に鑑みてなされたものであって、その目的とするところは、各種被処理物を収納する収納容器が一定の運動を与えられて被処理物の撹拌作用をなす撹拌装置において、蓋体により収納容器の高い密閉性を確保するとともに、蓋体の開閉着脱作業を容易迅速に行うことができる汎用性の高い収納容器密閉技術を提供することにある。
【課題を解決するための手段】
【０００８】
上記目的を達成するため、本発明の撹拌装置の収納容器密閉装置は、撹拌処理すべき被処理物を収納する収納容器の蓋体を密閉状に閉止固定する収納容器密閉装置であって、開口が蓋体により密閉状に閉止される筒形容器の形態とされた収納容器を、この収納容器の軸線方向へ取り外し可能に嵌装支持する構造を備える容器受けと、この容器受けに嵌装支持された上記収納容器の蓋体を閉止固定する閉止部材と、上記容器受けに設けられ、上記閉止部材の閉止固定動作によりこの閉止部材を上記容器受けに一体的に係合固定する係合固定手段とを備えてなり、上記閉止部材は、上記容器受けに橋絡状に位置決め係合する長尺な棒状体の形態とされるとともに、その長手方向中央部に螺進退可能に設けられ、上記収納容器の蓋体に当接係合可能な締付けボルト部材を備えてなり、上記係合固定手段は、上記容器受けの開口端部に一対の係合支持部が対向して設けられ、これら両係合支持部の一方の係合支持部に、上記閉止部材の一方の係合端部を挿通係合する係合孔が設けられるとともに、他方の係合支持部に、上記閉止部材の他方の係合端部を挿通係合する係合孔が設けられ、上記他方の係合支持部は、その外側部に、仮止め部材が外方へ揺動可能に枢着されるとともに、この仮止め部材は、弾発部材により上記他方の係合支持部の外側面に向けて内方へ常時弾発付勢され、上記他方の係合支持部に係合凹部が設けられ、この係合凹部と上記仮止め部材に設けられた係合孔部は、上記仮止め部材が上記係合支持部の外側面に当接係合した状態において、重合一致して上記係合孔を形成するように位置決め設定されていることを特徴とする。
【０００９】
好適な実施態様として、以下の構成が採用される。
（１）上記収納容器が上記容器受けに嵌装支持された状態において、上記閉止部材の両端部位の係合端部が上記係合固定手段の係合孔にそれぞれ挿通係合した状態で、上記締付けボルト部材を締付け回転操作することにより、上記閉止部材と蓋体が互いに離れる方向へ押されて共締め状態となり、上記蓋体が収納容器に緊密に施蓋されると同時に、収納容器が上記容器受けに締付け固定されるもの。
【００１０】
（２）上記閉止部材は長尺な直線棒状体の形態とされるとともに、その両端部位に上記容器受けに位置決め係合する係合端部を備え、これら係合端部は、上記係合固定手段の係合孔に挿通係合する際に、その位置決め部が上記容器受けの内側面に当接係合可能とされて、上記閉止部材の容器受けに対する長手方向位置を位置決めするように配置設定されているもの。
【００１２】
（３）上記仮止め部材の先端部は、外方へ所定の角度をもって傾斜された揺動操作部とされているもの。
【００１３】
（４）上記揺動操作部は、その内側面が上記閉止部材の一方の係合端部の操作案内面として作用するように構成されているもの。
【００１４】
また、本発明の密閉収納装置は、撹拌処理すべき被処理物を収納する収納容器が一定の運動を与えられて被処理物の撹拌作用をなす撹拌装置において、上記収納部を構成して、被処理物を密封状態で収納するものであって、開口が蓋体により密閉状に閉止される筒形容器の形態とされた収納容器と、この収納容器の蓋体を密閉状に閉止固定する収納容器密閉手段とを備えてなり、この収納容器密閉手段は、上記収納容器密閉装置から構成されていることを特徴とする。
【００１５】
さらに、本発明の撹拌装置は、被処理物が収納された収納部が水平方向に公転することにより、収納部内の被処理物に遠心力が与えられて、この被処理物が攪拌処理されるものであって、垂直な公転軸に対して、上記収納部がその軸線を傾斜した状態で設けられ、上記収納部は、上記公転軸まわりに公転されるとともに、この公転軸に平行な垂直軸まわりに公転速度よりも大幅に減速されたゆっくりした自転速度で自転または停止する構成とされてなり、上記収納部は上記密閉収納装置から構成されているもの。
【００１６】
本発明の撹拌装置の好適な実施態様としては、（１）上記収納部に被処理物として多数の工作物と研磨材が充填収容されて、この収納部が水平方向に公転することにより、収納部内の工作物と研磨材に遠心力が与えられて、これら工作物と研磨材の擦れ合いにより工作物を研磨する構成を備えた遠心バレル形式のバレル研磨機、および（２）上記収納部に被処理物として複数種類の液体、液体と粉末、あるいはこれらの混合物からなる被処理液体が充填収容されて、この収納部が水平方向に公転することにより、収納部内の被処理液体に遠心力が与えられて、この被処理液体中に混入している気泡を脱泡しながら被処理液体を攪拌処理する構成を備えた液体攪拌装置がある。
【発明の効果】
【００１７】
本発明の撹拌装置の収納容器密閉装置によれば、開口が蓋体により密閉状に閉止される筒形容器の形態とされた収納容器を、この収納容器の軸線方向へ取り外し可能に嵌装支持する構造を備える容器受けと、この容器受けに嵌装支持された上記収納容器の蓋体を閉止固定する閉止部材と、上記容器受けに設けられ、上記閉止部材の閉止固定動作によりこの閉止部材を上記容器受けに一体的に係合固定する係合固定手段とを備えてなり、上記閉止部材は、上記容器受けに橋絡状に位置決め係合する長尺な棒状体の形態とされるとともに、その長手方向中央部に螺進退可能に設けられ、上記収納容器の蓋体に当接係合可能な締付けボルト部材を備えてなり、上記係合固定手段は、上記容器受けの開口端部に一対の係合支持部が対向して設けられ、これら両係合支持部の一方の係合支持部に、上記閉止部材の一方の係合端部を挿通係合する係合孔が設けられるとともに、他方の係合支持部に、上記閉止部材の他方の係合端部を挿通係合する係合孔が設けられ、上記他方の係合支持部は、その外側部に、仮止め部材が外方へ揺動可能に枢着されるとともに、この仮止め部材は、弾発部材により上記他方の係合支持部の外側面に向けて内方へ常時弾発付勢され、上記他方の係合支持部に係合凹部が設けられ、この係合凹部と上記仮止め部材に設けられた係合孔部は、上記仮止め部材が上記係合支持部の外側面に当接係合した状態において、重合一致して上記係合孔を形成するように位置決め設定されているから、各種被処理物を収納する収納容器が一定の運動を与えられて被処理物の撹拌作用をなす撹拌装置において、蓋体により収納容器の高い密閉性を確保するとともに、蓋体の開閉着脱作業が容易迅速に行うことができる汎用性の高い収納容器密閉技術を提供することができる。
【００１８】
すなわち、被処理物が収納された上記収納容器を蓋体により密閉状に閉止するに際しては、まず、上記収納容器が上記容器受けに嵌装支持された状態において、長尺な棒状体の形態とされた上記閉止部材の両係合端部の一方を、上記容器受けに設けられた上記係合固定手段の一対の係合孔の一方に挿通係止させ、続いて、この挿通係止部位を揺動支点として上記閉止部材を揺動させて、上記閉止部材の両係合端部の他方を、上記係合固定手段の一対の係合孔の他方に挿通係止させる。
【００１９】
この場合、上記他方の係合孔は、上記容器受けに設けられた係合凹部と、上記容器受けの外側部に弾発的に揺動可能に設けられた仮止め部材の係合孔部とから構成されているから、この係合孔に上記閉止部材の他方の係合端部を挿通係止するに際しては、上記仮止め部材を容器受けの外方へ弾発的に揺動させながら、上記閉止部材を上記収納容器の蓋体に沿って揺動させることで、上記閉止部材の他方の係合端部が上記係合凹部に挿通係止し、この後、上記仮止め部材を容器受けの外側面に向けて揺動し弾性復帰させることで、この仮止め部材の係合孔部に上記閉止部材の他方の係合端部が挿通係止され、これにより、上記収納容器の上記容器受けに対する嵌装支持状態および蓋体による収納容器の閉止状態が仮止めされる。
【００２０】
続いて、この仮止め状態において、上記閉止部材の締付けボルト部材を締付け回転操作することにより、この締付けボルト部材は、上記閉止部材を螺進しながら、その先端が上記蓋体を収納容器に対して押圧する。この結果、上記閉止部材と蓋体は互いに離れる方向へ押されて共締め固定状態となり、蓋体が収納容器に緊密に締付け固定されて施蓋され、収納容器の高い密閉性が確保されると同時に、収納容器が上記容器受けに締付け固定されることになる。
【００２１】
逆に、上記収納容器の蓋体を解放し取り外すに際しては、上記とまったく逆の操作を行うことにより、蓋体による上記収納容器の密閉施蓋状態が解除されると同時に、収納容器が上記容器受けから取り外し可能となる。
【００２２】
なお、これら一連の蓋体の開閉着脱作業は熟練を要することなく容易迅速に行うことができる。
【００２３】
また、上記閉止部材の一対の係合孔の少なくとも一方の係合孔が、上記容器受けに設けられた係合凹部と、上記容器受けの外側部に弾発的に揺動可能に設けられた仮止め部材の係合孔部とから構成されていることにより、上記蓋体が撹拌装置の撹拌動作中に上記収納容器から外れてしまう危険が有効に防止される。
【００２４】
すなわち、本発明のように、上記収納容器の蓋体を閉止固定する閉止部材が、上記容器受けに橋絡状に位置決め係合する長尺な棒状体の形態とされるとともに、この閉止部材を上記容器受けに係合固定する係合固定手段が、上記容器受けの筒状開放縁部に対向して設けられて、上記閉止部材の係合端部をそれぞれ挿通係合する一対の係合部を備えてなる場合に、上述した方法での閉止部材の係合部に対する挿通係合操作が担保されるためには、構造上、少なくとも一方の係合部は、係合孔の形態ではなく、一部が切開された係合凹部の形態とされる必要がある。
【００２５】
ところが、このように係合凹部の形態とされた係合部においては、以下のような問題が生じてしまう。
【００２６】
つまり、収納容器内に充填収納される被処理物は重量物であり、したがって、撹拌装置の撹拌動作中は、上記収納容器内で重量物である被処理物が踊ることになる（踊躍動作）。そして、この被処理物の踊躍動作により、収納容器が振動すると、上記締付けボルト部材の締付け状態が緩んで、上記閉止部材の係合端部が係合固定手段の係合凹部から外れてしまう傾向があり、これにより、蓋体による密閉施蓋状態が解除されてしまい、最悪の場合には、蓋体が収納容器から外れてしまう危険がある。
【００２７】
しかしながら、本発明においては、上記閉止部材の一対の係合孔の少なくとも一方の係合孔が、上述のごとく係合凹部と仮止め部材の係合孔部とから構成されていることにより、上記締付けボルト部材の締付け状態が緩むような事態が生じても、上述したように、上記閉止部材の係合端部が係合固定手段の係合凹部から外れることはなく、上記収納容器の上記容器受けに対する嵌装支持および蓋体による収納容器の閉止は依然として仮止め状態にあり、蓋体が収納容器から外れてしまう不測の危険状態は有効かつ確実に防止される。
【図面の簡単な説明】
【００２８】
【図１】本発明の実施形態１である収納容器密閉装置を備えた密閉収納装置を示す斜視図である。
【図２】同密閉収納装置の構造を示す一部断面正面図である。
【図３】同じく同密閉収納装置の構造を示す平面図である。
【図４】同密閉収納装置の容器受けを示す図で、図４（ａ）は平面図、図４（ｂ）は図４（ａ）におけるＢ−Ｂ線に沿った断面図、図４（ｃ）は図４（ａ）における矢符Ｃ方向から見た正面図である。
【図５】同密閉収納装置における収納容器密閉装置の係合固定部の要部構成を拡大して示し、図５（ａ）は正面図、図５（ｂ）は平面図である。
【図６】同収納容器密閉装置による収納容器の密閉方法を説明するための斜視図である。
【図７】同密閉収納装置をバレル槽装置として備えるバレル研磨機を示す正面図である。
【図８】同じく同バレル研磨機の内部構造を示す正面断面図である。
【図９】同じく同バレル研磨機の開閉扉を取り除いて示す平面図である。
【図１０】同じく同バレル研磨機の図８のＸ−Ｘ線に沿った平面断面図である。
【図１１】同バレル研磨機の運転時におけるバレル槽内の研磨材とワークの挙動を示す模式図である。
【図１２】本発明の実施形態２である収納容器密閉装置を備えた密閉収納装置を示し、図１２（ａ）は平面図、図１２（ｂ）は同収納容器密閉装置の係合固定部の要部構成を拡大して示す平面図である。
【図１３】同収納容器密閉装置による収納容器の密閉方法における仮止め工程を説明するための平面図である。
【発明を実施するための形態】
【００２９】
以下、本発明の実施形態を図面に基づいて詳細に説明する。なお、図面全体にわたって同一の符号は同一の構成部材または要素を示している。
【００３０】
実施形態１
本発明に係る収納容器密閉装置を備えた密閉収納装置が図１〜図６に示されており、この密閉収納装置１は、撹拌処理すべき被処理物を収納する収納部が一定の運動を与えられて被処理物の撹拌作用をなす撹拌装置において、上記収納部を構成して、被処理物を密封状態で収納する密閉収納装置であって、具体的には図７〜図１１に示されるバレル研磨機に装備されるものである。
【００３１】
このバレル研磨機は、図１１に模式的に示されるように、多数のワークＷ、Ｗ、…と研磨材（メディア）Ｇ、Ｇ、…が充填収容されたバレル槽（収納容器）２が水平方向に公転することにより、バレル槽２内のワークＷ、Ｗ、…と研磨材Ｇ、Ｇ、…に遠心力が与えられて、これらワークＷ、Ｗ、…と研磨材Ｇ、Ｇ、…の擦れ合いによりワークＷ、Ｗ、…を研磨する構成を備えた遠心バレル形式のものであり、上記バレル槽２を含むバレル槽装置（収納部）として上記密閉収納装置１を備える。このバレル研磨機の具体的な構成および作用については後述する。
【００３２】
密閉収納装置１は、収納容器としての上記バレル槽２と、このバレル槽２の蓋体３を密閉状に閉止固定する収納容器密閉手段としての収納容器密閉装置４とを主要部として構成されている。
【００３３】
バレル槽２は、撹拌処理すべき被処理物（本実施形態においては、多数のワークＷ、Ｗ、…と研磨材Ｇ、Ｇ、…）を収納する収納容器として機能するもので、図２に示すように、開口２ａが開閉可能な蓋体３により密閉状に閉止される筒形容器の形態とされている。
【００３４】
図示の実施形態においては、バレル槽２はウレタン製容器で、具体的には図示しないが、その内周面が多角形とされた断面形状を有する多角柱形状輪郭の筒型容器、具体的には、内周面が八角柱形状輪郭の筒型容器の形態とされ、後述するように、収納容器密閉装置４を介してバレル研磨機の回転テーブル４５上に４つ装着される配置構成とされている。
【００３５】
また、上記バレル槽２の蓋体３による施蓋構造は、後述するように、収納容器密閉装置４の押え金具６により、容器受け５に共締め固定する構成とされている。これに関連して、図２に示すように、蓋体３の周縁部３ａは、施蓋時におけるバレル槽２との嵌合部を構成するとともに、この嵌合部３ａにシール部材（図示の場合はＯリング）１５が介装されて、この部位の密封性が確保されている。
【００３６】
収納容器密閉装置４は、容器受け５、押え金具６および係合固定部（係合固定手段）７を主要部として構成されている。
【００３７】
容器受け５は、上記バレル槽２を軸線方向へ取り外し可能に嵌装支持するもので、図示の実施形態においては、薄肉鋼板が図１および図４に示すような形状に板金加工等により折曲形成されてなるバレル槽受けの形態とされている。
【００３８】
このバレル槽受け５は、具体的には、バレル槽２の下部全体を嵌合保持する下部本体部５ａと、バレル槽２の上半部外周を支持する一対の起立保持部５ｂ、５ｂとを主要部として構成されている。
【００３９】
上記下部本体部５ａは、バレル槽２の下部全体を嵌合保持する形状寸法を有する平底円筒容器の形態とされ、バレル槽２の外径寸法に対応した内径寸法を有する。また、下部本体部５ａの底部には、後述するバレル研磨機の回転支軸５５（図８参照）が所定の傾斜角度をもって一体的に設けられている。
【００４０】
上記一対の起立保持部５ｂ、５ｂは、上記下部本体部５ａの上端縁から上方へ起立状に立ち上がって形成されてなり、これら起立保持部５ｂ、５ｂの内側面が上記下部本体部５ａの円筒内径面と面一の円筒湾曲面とされて、バレル槽２の上半部外周面の一部を摺動案内可能に支持する構成とされている。
【００４１】
このように、バレル槽受け５の上半部が一対の起立保持部５ｂ、５ｂにより構成されることにより、バレル槽２のバレル槽受け５に対する着脱時の軸線Ｘ（図２参照）方向への摺動案内作用と嵌装支持作用とが安定して確保されるとともに、上記両起立保持部５ｂ、５ｂ間の開口部５ｃ、５ｃが、バレル槽２のバレル槽受け５に対する着脱操作部として機能する。
【００４２】
また、このバレル槽受け５の着脱操作部５ｃ、５ｃとの関係で、バレル槽２の高さ方向中央部には、全周にわたって環状凹部２ｂが設けられて、バレル槽２の手持ち作業時の操作部を形成しており、この操作部２ｂと上記着脱操作部５ｃ、５ｃとの協働作用により、バレル槽２のバレル槽受け５に対する着脱操作の容易性が確保されている。
【００４３】
閉止部材６は、上記バレル槽受け５に嵌装支持されたバレル槽２の蓋体３を閉止固定するもので、具体的には、図１〜図３に示すように、上記バレル槽受け５に橋絡状に位置決め係合する長尺な棒状体の形態とされるとともに、その長手方向中央部に締付けボルト部材１０を備えてなる。
【００４４】
上記棒状体の構成材料としては、ステンレス鋼、アルミニウム合金等の金属材料が好適に使用され、図示の実施形態の閉止部材６は、ステンレス鋼製の直線棒状体からなる押え金具の形態とされている。
【００４５】
この押え金具６は矩形の断面形状を有し、その長手方向中央部に上記締付けボルト部材１０が螺進退可能に設けられるとともに、両端部位が係合端部１１とされている。
【００４６】
上記締付けボルト部材１０は、図２に示すように、ボルト本体１２とこのボルト本体１２の基端に一体的に設けられた操作ノブ１３からなり、上記ボルト本体１２は、押え金具６に設けられたボルト孔２０に上下方向へ螺進退可能に取付けられるとともに、その先端１２ａがバレル槽２の蓋体３に設けられた受け部材２１上面に当接係合可能とされている。
【００４７】
係合端部１１は、後述する係合固定部７の係合孔２５、２６に挿通係合する係合突部１１ａと、この係合突部１１ａの基部に設けられた位置決め部１１ｂとからなる。
【００４８】
係合突部１１ａは、上記係合孔２５、２６の輪郭形状に対応した断面形状とされ、図示の実施形態においては、押え金具６の矩形の断面形状と同一の形状寸法とされている。
【００４９】
また位置決め部１１ｂは、上記バレル槽受け５の内側面に当接係合可能とされて、押え金具６のバレル槽受け５に対する長手方向位置を位置決めするように配置設定されている。
【００５０】
図示の実施形態の位置決め部１１ｂは、六角穴付きボルト２、２が押え金具６に螺合植設されて、その円筒形頭部２、２ａの円筒外周面が上記位置決め部１１ｂを形成している。両端部の位置決め部１１ｂ、１１ｂ間の距離寸法Ｄは、図２および図３に示すように、上記バレル槽受け５の内側面の径寸法、具体的には、一対の起立保持部５ｂ、５ｂの内側面間距離Ｄ0に対応して設定されている。
【００５１】
これにより、後述する蓋体３の施蓋時において、上記押え金具６の両係合端部１１、１１の係合突部１１ａ、１１ａが上記係合固定部７の係合孔２５、２６にそれぞれ挿通係合する際に、両端部の位置決め部１１ｂ、１１ｂが上記バレル槽受け５の内側面に当接係合して、押え金具６のバレル槽受け５に対する長手方向位置が位置決めされる。
【００５２】
係合固定部７は、上記押え金具６の閉止固定動作により、この押え金具６を上記バレル槽受け５に一体的に係合固定するもので、上記バレル槽受け５に設けられている。
【００５３】
上記係合固定部７は、具体的には、バレル槽受け５の筒状開放縁部に対向して設けられた一対の係合孔２５、２６を備えてなり、これら係合孔２５、２６に、上記押え金具６の係合端部１１、１１がそれぞれ挿通係合する構成とされている。
【００５４】
また、これら係合孔２５、２６の少なくとも一方の係合孔が、上記バレル槽受け５に設けられた係合凹部２７と、上記バレル槽受け５の外側部に弾発的に揺動可能に設けられた仮止め部材３０の係合孔部２８とから構成されている。このような構成とされることにより、後述する蓋体３の施蓋時における上記押え金具６の係合固定部７に対する挿通係合操作が担保されるとともに、上記蓋体３がバレル研磨機の撹拌動作中に上記バレル槽２から外れてしまう危険が有効に防止される。
【００５５】
図示の実施形態の係合固定部７は、上記バレル槽受け５の筒状開放縁部、具体的には、上記起立保持部５ｂ、５ｂの上端縁に、一対の係合支持部３５、３６が対向してそれぞれ一体的に設けられ、これら両係合支持部３５、３６の一方の係合支持部３５に、上記押え金具６の一方の係合端部１１を挿通係合する係合孔２５が設けられるとともに、他方の係合支持部３６に、上記押え金具６の他方の係合端部１１を挿通係合する係合孔２６が設けられている。
【００５６】
そして、この係合孔２６は、上述したように、上記係合支持部３６に設けられた係合凹部２７と、上記係合支持部３６の外側部に設けられた仮止め部材３０の係合孔部２８とからなり、後述する蓋体３の施蓋時における上記押え金具６の係合固定部７に対する挿通係合操作を担保しつつ、蓋体３がバレル研磨機の撹拌動作中にバレル槽２から外れてしまう危険を有効に防止する構成とされている。
【００５７】
上記仮止め部材３０は金属製板材からなり、図５に具体的に示されているように、上記係合支持部３６の外側面に取付け固定された取付基板３２の軸受部３２ａに、上記係合孔部２８を有する仮止め片３３の基部３３ａが、支軸３４を介して揺動可能に枢支されるとともに、弾発部材３１により、上記仮止め片３３が上記係合支持部３６の外側面に向けて内方へ常時弾発付勢されている。
【００５８】
上記弾発部材３１としては、ねじりコイルばねが好適に使用され、このねじりコイルばね３１は、図５（a）に示すように、そのコイル部３１ａが上記支軸３４に挿通支持されるとともに、その腕部３１ｂ、３１ｃが上記取付基板３２および仮止め片３３にそれぞれ当接係止されている。そして、上記弾発部材３１の弾発力は、上記仮止め片３３を上記係合支持部３６の外側面に向けて内方へ常時弾発付勢し、これにより、上記仮止め片３３が係合支持部３６の外側面に当接係合した状態（閉止状態）が保持されている。この仮止め片３３の先端部つまり仮止め部材３０の先端部３０ａは、図５（ｂ）に示すように、外方へ所定の角度をもって傾斜されて、揺動操作部が形成されている。
【００５９】
また、上記仮止め片３３の係合孔部２８は、上記閉止状態において、上記係合支持部３６の係合凹部２７と重合一致するように位置決め設定され、これにより上記係合孔２６が重合形成されている（図５（ａ）参照）。
【００６０】
しかして、以上のように構成された収納容器密閉装置４により、バレル槽２を蓋体３で密閉状に閉止し、また解放する方法は以下のとおりである（図６参照）。
【００６１】
（１）被処理物であるワークＷ、Ｗ、…と研磨材（メディア）Ｇ、Ｇ、…が充填収容されたバレル槽２を上記バレル槽受け５に嵌装支持した状態において、押え金具６の両係合端部１１、１１の一方を、バレル槽受け５に設けられた係合固定部７の一方の係合孔２５に挿通係止させる（図６（ａ））。
【００６２】
（２）続いて、この係合孔２５に挿通係止させた押え金具６の係合端部１１の部位（挿通係止部位）を揺動支点として、上記押え金具６を揺動させ（図６（ｂ）→（ｃ））、押え金具６の他方の係合端部１１を、上記係合固定部７の他方の係合孔２６に挿通係止させる。
【００６３】
この場合、この他方の係合孔２６は、上述したように、上記バレル槽受け５の係合支持部３６に設けられた係合凹部２７と、上記係合支持部３６の外側部に設けられた仮止め部材３０の係合孔部２８とから構成されている。
【００６４】
よって、この係合孔２６に上記押え金具６の他方の係合端部１１を挿通係止するに際しては、まず、上記仮止め部材３０の仮止め片３３を、弾発部材３１の弾発付勢力に抗して、係合支持部３６の外方へ弾発的に揺動させながら、上記押え金具６を上記バレル槽２の蓋体３上面に沿って揺動させ、より具体的には起立保持部５ｂの上端縁上を摺動させながら揺動させ（図６（ｂ）参照）、これにより、上記押え金具６の他方の係合端部１１を上記係合凹部２７に係合させる。
【００６５】
この後、上記仮止め部材３０をバレル槽受け５の外側面に向け内方へ揺動して弾性復帰させることで、この仮止め部材３０の係合孔部２８に上記押え金具６の他方の係合端部１１が挿通係止されて、係合孔２６（２７、２８）に対する挿通係止が完了する（図６（ｃ）参照）。
【００６６】
これにより、上記バレル槽２の上記バレル槽受け５に対する嵌装支持状態および蓋体３によるバレル槽２の閉止状態が仮止めされる。
【００６７】
（３）続いて、この仮止め状態において、上記押え金具６の締付けボルト部材１０を、操作ノブ１３により締付け回転操作する、これにより、締付けボルト部材１０のボルト本体１２が上記押え金具６を螺進して、その先端１２ａが上記蓋体３の受け部材２、２上面に当接係合し、さらなる螺進により蓋体３をバレル槽２に対して押圧する。
【００６８】
この結果、上記押え金具６と蓋体３は、上記締付けボルト部材１０により、互いに離れる方向へ押されて共締め固定状態となり、この結果、蓋体３がバレル槽２に緊密に締付け固定されて施蓋され、これにより、バレル槽２の高い密閉性が確保されると同時に、バレル槽２は上記バレル槽受け５に締付け固定されることになる。
【００６９】
（４）逆に、上記（１）〜（３）とまったく逆の操作を行うことにより、蓋体３によるバレル槽２の密閉施蓋状態が解除されると同時に、バレル槽２は上記バレル槽受け５から取り外し可能となる。
【００７０】
なお、これら一連の蓋体３の開閉着脱作業は、熟練を要することなく容易迅速に行うことができる。
【００７１】
続いて、上述した収納容器密閉装置４を備える密閉収納装置１をバレル槽装置（収納部）として装備するバレル研磨機の具体的な構成について説明する。
【００７２】
上記のように構成された密閉収納装置１を備えるバレル研磨機は、具体的には、図７〜図１１に示すように、撹拌処理すべき被処理物を収納する収納部としての上述の密閉収納装置１、公転手段４０、自転手段４１および制御部４２を主要部として構成され、これら構成部１、４０、４１、４２が装置ケース４３内に装置されてなる。
【００７３】
公転手段４０は、バレル槽２を水平方向へ公転させるもので、具体的には回転テーブル４５および駆動源である駆動モータ４６を主要部として構成されている。
【００７４】
回転テーブル４５は、垂直な回転主軸５０に対して水平に取り付けられるとともに、この回転主軸５０が駆動モータ４６に駆動連結されている。
【００７５】
図示の実施形態においては、装置ケース４３の基台フレーム５１の中心位置に主軸台５２が設けられ、この主軸台５２に、上記回転主軸５０が、軸受５３、５３を介して垂直状態で回転可能に軸支されており、この回転主軸５０の上端部に、上記回転テーブル４５が水平状態で取付け支持されている。
【００７６】
また、回転主軸５０の下部が軸支される上記主軸台５２には、上記駆動モータ４６が水平状態で取り付けられており、具体的には図示しないが、この駆動モータ４６の出力軸に、上記回転主軸５０の下部が直接的に歯車連結されている。
【００７７】
そして、駆動モータ４６の回転駆動により、上記回転主軸５０と共に、上記回転テーブル４５が水平方向へ所定の回転速度をもって回転駆動される。この場合の回転テーブル４５の回転速度つまり後述するバレル槽２の公転速度は、後述するように、制御部４２の加工プログラムに従って、研磨工程の初期から仕上期に向けて低速から高速に変更するように自動制御される。
【００７８】
上記密閉収納装置１のバレル槽２は、上記回転テーブル４５上の外周位置に円周方向へ等間隔をもって複数個（図示の場合は４つ）装着されている。
【００７９】
つまり、回転テーブル４５の外周位置には、４本の回転支軸５５、５５、…が周方向へ等間隔をもって配置され、各回転支軸５５は、軸受５６、５６により垂直状態で、つまり上記回転主軸５０と平行状態で回転可能に軸支され、この回転支軸５５の上端部に、上記バレル槽２を取外し可能に収容支持するバレル槽受け５が傾斜状態で取付け固定されている。
【００８０】
このバレル槽受け５にバレル槽２が収容された状態において、バレル槽２は、その軸線Ｘが上記回転主軸５０の軸線（後述する公転軸）Ｘ0に対して所定角度αだけ傾斜するように構成されている。
【００８１】
自転手段４１は、バレル槽２を自転させるもので、具体的には、回転テーブル４５の回転速度つまりバレル槽２の公転速度よりも大幅に減速されたゆっくりした自転速度で自転する構成とされている。
【００８２】
図示の実施形態の自転手段４１は遊星歯車機構の形態とされ、この遊星歯車機構４１は、図１０に示すように、上記回転主軸５０と同心状に設けられた太陽歯車６０と、上記回転支軸５５に同心状に設けられた遊星歯車６１とを含んでなり、具体的には、上記太陽歯車６０、上記遊星歯車６１、およびこれら太陽歯車６０および遊星歯車６１の間に噛合状態で介装される中間歯車６２とを備えてなる。
【００８３】
そして、回転主軸５０の回転により、回転テーブル４５が一体的に水平回転すると、この回転テーブル４５上に配置支持された４つのバレル槽２、２、…は、上記回転主軸５０まわりに所定の速度をもって公転されるとともに、この公転運動に伴う遊星歯車機構４１の減速作用により、非常にゆっくりした自転速度をもって自転されることとなる。
【００８４】
すなわち、図９および図１０を参照して、回転テーブル４５の回転（矢符Ａ方向）により、この回転テーブル４５上に配置支持された４つのバレル槽２、２、…も回転（公転）するところ、これらバレル槽２、２、…の回転支軸５５、５５、…には、上記遊星歯車機構４１の遊星歯車６１がそれぞれ取付け固定されている。この遊星歯車機構４１において、太陽歯車６０は上述のごとく静止固定されているから、これら両歯車６０、６１に噛合連結された中間歯車６２を介して、上記遊星歯車６１は太陽歯車６０のまわりをＡ方向へ公転しながら、この公転速度よりも大幅に減速されたゆっくりした自転速度をもって公転方向と逆方向へ自転することになる。
【００８５】
制御部４２は、上記公転手段４０を自動制御するもので、具体的には、ＣＰＵ、ＲＯＭ、ＲＡＭおよびＩ／Ｏポートなどからなるマイクロコンピュータで構成されている。
【００８６】
この制御部４２には、バレル研磨加工を実行させるための加工プログラム等が組み込まれるとともに、公転手段４０の駆動モータ４６の駆動に必要な種々の情報、例えば、回転テーブル４５の回転速度（バレル槽２の公転速度）、動作時間、速度変更タイミングあるいは研磨工程の加工時間等が、制御データとして予めまたは操作部の操作パネル（図示省略）により適宜選択的に入力設定されており、これらのデータに従って上記駆動モータ４６を制御する。
【００８７】
上記制御部４２には、種々の加工条件を考慮して、複数のバレル研磨加工を実行させるための加工プログラムが組み込まれており、これらの加工プログラムの選択は、上記操作部の操作パネルで所望のプログラム番号をタッチ指定することにより行われる。
【００８８】
組み込まれる具体的な加工プログラムとしては、一般的な加工パターン（バレル研磨方法）、つまり、バレル槽２、２、…の公転速度が研磨工程の開始から完了まで所定の一定値になるように、上記公転手段４０の駆動モータ４６が駆動制御される定速加工パターンと、バレル槽２、２、…の公転速度が研磨工程の初期から仕上期に向けて低速から高速に変更するように上記公転手段４０の駆動モータ４６が駆動制御される変速加工パターンとが含まれている。
【００８９】
また、後者の変速加工パターンとしては、例えば、バレル槽２の公転速度が、研磨工程の初期から仕上期に向けて段階的に低速から高速に変更するパターン、またバレル槽２の公転速度が、研磨工程の初期から仕上期に向けて連続的に低速から高速に変更するパターンがある。
【００９０】
しかして、以上のように構成されたバレル研磨機において、多数のワークＷ、Ｗ、…と研磨材Ｇ、Ｇ、…を充填収容したバレル槽２、２、…が、それぞれ収納容器密閉装置４により密閉状に収容保持された状態で、上記操作部の操作パネルで所望の加工プログラムを選択した後、起動スイッチを起動操作することにより、制御部４２により公転手段４０の駆動モータ４６が自動制御されて、回転テーブル４５が所定の加工パターンをもって回転駆動される撹拌工程が実行される。
【００９１】
すなわち、上記制御部４２による公転手段４０の駆動モータ４６の駆動により、上記回転テーブル４５が水平回転するとともに、この回転テーブル４５の回転に上記遊星歯車機構４１が連動して、上記バレル槽２は、垂直な回転主軸（公転軸）５まわりに水平方向に上記公転速度をもって、つまり、研磨工程の初期から仕上期に向けて低速から高速に変更するように公転する。
【００９２】
これにより、バレル槽２は垂直な回転主軸（公転軸）５まわりに水平方向に公転されて、バレル槽２内のワークＷ、Ｗ、…と研磨材Ｇ、Ｇ、…に遠心力が与えられて、これらワークＷ、Ｗ、…と研磨材Ｇ、Ｇ、…の擦れ合いによりワークＷ、Ｗ、…が研磨されることとなる。
【００９３】
この場合、バレル槽２、２、…は、その軸線Ｘを上記回転主軸（公転軸）５に対して所定角度αだけ傾斜した状態で回転支軸５５にそれぞれ取付けられるとともに、上記公転運動に伴う遊星歯車機構４１の減速自転作用により、非常にゆっくりした自転速度をもって公転方向Ａと逆方向へ自転される。
【００９４】
この結果、各バレル槽２内に充填収容されたワークＷ、Ｗ、…と研磨材Ｇ、Ｇ、…の挙動、特に研磨材Ｇ、Ｇ、…の挙動は、図１１（ａ）に示すように、バレル槽２の傾斜内面に当たってランダムに跳ね返り立体的に動き、研磨材Ｇ、Ｇ、…は、矢符図示のごとく中央部へ向けて中へ中へと練り込まれるように流動する。
【００９５】
換言すれば、バレル槽２は、図１１（ｂ）→図１１（ｃ）→図１１（ｂ）のように、ゆっくりと揺動しながら公転するため、バレル槽２内では研磨材Ｇ、Ｇ、…とワークＷ、Ｗ、…がランダムに立体的な動きとなって、バレル槽２の中央へ練り込まれるような状態となり、ワークＷ、Ｗ、…が常に研磨材Ｇ、Ｇ、…の中に存在することになる。
【００９６】
このような挙動は、バレル槽２の公転により生じる遠心力が、研磨材Ｇ、Ｇ、…とワークＷ、Ｗ、…に対して単なる水平方向の動きに止まらず、さらにバレル槽２の傾きによる傾斜内面との協働作用による上下方向の動きも誘発し、その結果、研磨材Ｇ、Ｇ、…とワークＷ、Ｗ、…は自重の違いも有効に作用して、互いに分離することなく渾然一体となってバレル槽２内を上下左右方向へ流動（３次元相対運動）すると考えられる。
【００９７】
以上の制御部４２による所定の研磨工程が完了すると、収納容器密閉装置４による各バレル槽２の密閉施蓋状態が、上述した要領で解除されると同時に、各バレル槽２がバレル槽受け５から取り外されて、研磨処理を完了したワークＷ、Ｗ、…と研磨材Ｇ、Ｇ、…がバレル槽２、２、…から取り出され、代わりに、新たに研磨処理されるべきワークＷ、Ｗ、…と研磨材Ｇ、Ｇ、…がバレル槽２、２、…に充填収容された後、再び上記収納容器密閉装置４により密閉状に収容保持された状態で、新たな研磨工程が実行される。以下、同様の工程が繰り返される。
【００９８】
以上のように、本実施形態の収納容器密閉装置４によれば、開口が蓋体３により密閉状に閉止される筒形容器の形態とされたバレル槽２を、このバレル槽２の軸線方向へ取り外し可能に嵌装支持する構造を備えるバレル槽受け５と、このバレル槽受け５に嵌装支持された上記バレル槽２の蓋体３を閉止固定する押え金具６と、上記バレル槽受け５に設けられ、上記押え金具６の閉止固定動作によりこの押え金具６を上記バレル槽受け５に一体的に係合固定する係合固定部７とを備えてなり、上記押え金具６は、上記バレル槽受け５に橋絡状に位置決め係合する長尺な棒状体の形態とされるとともに、その長手方向中央部に螺進退可能に設けられ、上記バレル槽２の蓋体３に当接係合可能な締付けボルト部材１０を備えてなり、上記係合固定部７は、上記バレル槽受け５の筒状開放縁部に対向して設けられて、上記押え金具６の係合端部１１がそれぞれ挿通係合する一対の係合孔２５、２６を備えるとともに、これら係合孔２５、２６の一方の係合孔２６が、上記バレル槽受け５に設けられた係合凹部２７と、上記バレル槽受け５の外側部に弾発的に揺動可能に設けられた仮止め部材３０の係合孔部２８とから構成されているから、蓋体３によりバレル槽２の高い密閉性を確保するとともに、蓋体３の開閉着脱作業を容易迅速に行うことができる汎用性の高い収納容器密閉技術を提供することができる。
【００９９】
また、上記押え金具６の一対の係合孔２５、２６の一方の係合孔２６が、上記バレル槽受け５に設けられた係合凹部２７と、上記バレル槽受け５の外側部に弾発的に揺動可能に設けられた仮止め部材３０の係合孔部２８とから構成されていることにより、上記蓋体３がバレル研磨機の撹拌動作中に上記バレル槽２から外れてしまう危険が有効に防止される。
【０１００】
すなわち、本実施形態のように、上記バレル槽２の蓋体３を閉止固定する閉止部材が、上記バレル槽受け５に橋絡状に位置決め係合する長尺な棒状体である押え金具６の形態とされるとともに、この押え金具６を上記バレル槽受け５に係合固定する係合固定部７が、押え金具６の係合端部１１をそれぞれ挿通係合する一対の係合部を備えてなる場合に、上述した方法での押え金具６の上記係合部に対する挿通係合操作が担保されるためには、構造上、少なくとも一方の上記係合部は、係合孔の形態ではなく、一部が切開された係合凹部の形態とされる必要がある。
【０１０１】
ところが、このように係合凹部の形態とされた係合部においては、以下のような問題が生じてしまう。
【０１０２】
つまり、バレル槽２内に充填収納される被処理物である研磨材Ｇ、Ｇ、…とワークＷ、Ｗ、…は重量物であり、したがって、バレル研磨機の撹拌動作中は、上記バレル槽２内で重量物である研磨材Ｇ、Ｇ、…とワークＷ、Ｗ、…が踊ることになる（踊躍動作）。そして、この被処理物の踊躍動作により、バレル槽２が振動すると、上記締付けボルト部材１０の締付け状態が緩んで、押え金具６の係合端部１１が係合固定部７の係合凹部から外れてしまう傾向があり、これにより、蓋体３による密閉施蓋状態が解除されてしまい、最悪の場合には、蓋体３がバレル槽２から外れてしまう危険がある。
【０１０３】
しかしながら、本実施形態においては、上記押え金具６の一対の係合孔２５、２６の一方の係合孔２６が、上述のごとく係合凹部２７と仮止め部材３０の係合孔部２８とから構成されていることにより、上記締付けボルト部材１０の締付け状態が緩むような事態が生じても、上述したように、上記押え金具６の係合端部１１が係合固定部７の係合凹部２７から外れることはなく、上記バレル槽２の上記バレル槽受け５に対する嵌装支持および蓋体３によるバレル槽２の閉止は依然として仮止め状態にあり、蓋体３がバレル槽２から外れてしまう不測の危険状態は有効かつ確実に防止される。
【０１０４】
実施形態２
本実施形態は図１２および図１３に示されており、実施形態１における収納容器密閉装置４の係合固定部７の構造が若干改変されたものである。
【０１０５】
すなわち、本実施形態の係合固定部７において、仮止め部材３０の揺動操作部３０ａにおける内側面１３０が、押え金具６の係合端部１１の操作案内面として作用するように構成されている。
【０１０６】
具体的には、図１２に示すように、仮止め部材３０における仮止め片３３の先端部分が折曲げ形成されてなる揺動操作部３０ａは、実施形態１に比較して長さが延長されるとともに、その外方への傾斜角度θも大きく設定されている。
【０１０７】
換言すれば、押え金具６の両係合端部１１、１１の一方を、バレル槽受け５に設けられた係合固定部７の一方の係合孔２５に挿通係止させた状態で、この係合孔２５に挿通係止させた係合端部１１の部位（挿通係止部位）を揺動支点として、上記押え金具６の他方の係合端部１１を、上記係合固定部７の他方の係合孔２６の係合凹部２７に向けて揺動させる場合に、この他方の係合端部１１が上記仮止め部材３０の揺動操作部３０ａの内側面１３０に摺接可能に当接する構成とされている（図１２（ａ）の二点鎖線および図１２（ｂ）参照）。
【０１０８】
しかして、このような構成とされた収納容器密閉装置４においては、バレル槽２を蓋体３により密閉状に閉止するに際して、上記係合固定部７の係合孔２５に押え金具６の一方の係合端部１１を挿通係止させた後、押え金具６をこの係合端部１１の部位を揺動支点として揺動して、他方の係合端部１１が上記他方の係合孔２６の係合凹部２７に向けて移動接近すると、まず、上記仮止め部材３０の揺動操作部３０ａの内側面１３０に当接する（図１３（ａ）参照）。
【０１０９】
さらに他方の係合端部１１が上記他方の係合孔２６の係合凹部２７に移動接近すると、この他方の係合端部１１が上記揺動操作部３０ａの内側面１３０に摺接しながら、仮止め部材３０の仮止め片３３を、ねじりコイルばね３１（図５（ａ）参照）の弾発付勢力に抗して外方へ揺動させて押し広げる。
【０１１０】
さらに続いて、他方の係合端部１１が上記係合凹部２７に移動接近していき、この他方の係合端部１１が上記仮止め部材３０における係合孔２６の係合孔部２８に突入すると（図１３（ｂ）参照）、仮止め部材３０は、ねじりコイルばね３１の弾発付勢力により、バレル槽受け５の外側面に向け内方へ揺動して弾性復帰しはじめる。
【０１１１】
そして、上記他方の係合端部１１が係合凹部２７に係合するまで押え金具６が揺動すると、これと同時に、上記仮止め片３３もバレル槽受け５の外側面に当接係合するまで内方へ弾性復帰し、これにより、この仮止め片３３の係合孔部２８に上記他方の係合端部１１が挿通係止されて、係合孔２６（２７、２８）に対する挿通係止が完了する（図１３（ｃ）参照）。
【０１１２】
その結果、上記バレル槽２の上記バレル槽受け５に対する嵌装支持状態および蓋体３によるバレル槽２の閉止状態が仮止めされる。
【０１１３】
逆に、この仮止め状態から、上記他方の係合端部１１の係合孔２６（２７、２８）に対する挿通係止状態を解除するには、実施形態１の場合と同様に、上記仮止め部材３０の仮止め片３３を、手指により、係合支持部３６の外方へ弾発的に揺動させて行う。
その他の構成および作用は実施形態１と同様である。
【０１１４】
なお、上述した実施形態１および２はあくまでも本発明の好適な実施態様を示すものであって、本発明はこれに限定されることなく、その範囲内で種々の設計変更が可能である。
【０１１５】
例えば、実施形態１および２においては、押え金具６の係合端部１１、１１を挿通係合する係合固定部７の一対の係合孔２５、２６のうち、一方の係合孔２６のみが、バレル槽受け５に設けられた係合凹部２７と、バレル槽受け５の外側部に弾発的に揺動可能に設けられた仮止め部材３０の係合孔部２８とから構成される構成とされているが、他方の係合孔２５についても同様の構成とすることが可能である。このような構成とすることにより、蓋体３の施蓋時における押え金具６の係合固定部７に対する挿通係合操作が、押え金具６の両係合端部１１、１１のいずれからでも行うことができる。
【０１１６】
また、実施形態１および２において、係合端部１１の位置決め部１１ｂは、押え金具６に螺合植設された六角穴付きボルト２、２の円筒形頭部２、２ａにより形成されているが、このような構造に限定されず、例えば、押え金具６に機械加工等により一体形成された位置決め突部や位置決め肩部等、同様の作用効果を奏する他の構造も採用可能である。
【０１１７】
さらに、実施形態１および２は、バレル研磨機に装備される収納容器密閉装置１について説明したが、本発明に係る収納容器密閉装置は、これ以外の撹拌装置、例えば、上記密閉収納装置（収納部）１の収納容器に被処理物として複数種類の液体、液体と粉末、あるいはこれらの混合物からなる被処理液体が充填収容されて、この収納容器が水平方向に公転することにより、収納容器内の被処理液体に遠心力が与えられて、この被処理液体中に混入している気泡を脱泡しながら被処理液体を攪拌処理する構成を備えた液体攪拌装置にも装備適用可能である。
【符号の説明】
【０１１８】
１                          密閉収納装置
２                          バレル槽（収納容器）
３                          蓋体
４                          収納容器密閉装置（収納容器密閉手段）
５                          バレル槽受け（容器受け）
６                          押え金具（閉止部材）
７                          係合固定部（係合固定手段）
１０                        締付けボルト部材
１１                        係合端部
１１ａ                      係合突部
１１ｂ                      位置決め部
２５、２６                  係合固定部の係合孔
２７                        係合凹部
２８                        係合孔部
３０                        仮止め部材
３０ａ                      揺動操作部
３１                        ねじりコイルばね（弾発部材）
３２                        取付基板
３３                        仮止め片
３５、３６                  係合支持部
【図１】
0005756663.tif 000002
【図２】
0005756663.tif 000003
【図３】
0005756663.tif 000004
【図４】
0005756663.tif 000005
【図５】
0005756663.tif 000006
【図６】
0005756663.tif 000007
【図７】
0005756663.tif 000008
【図８】
0005756663.tif 000009
【図９】
0005756663.tif 000010
【図１０】
0005756663.tif 000011
【図１１】
0005756663.tif 000012
【図１２】
0005756663.tif 000013
【図１３】
0005756663.tif 000014